(57)【要約】【課題】快適性と省エネルギー性に対する拡張性が高く、且つ管理コストが低く、利便性に優れた空調システムを提供することを課題とする。【解決手段】中央制御装置と、第一のパッケージ型空調機と、を備え、中央制御装置は、第一のパッケージ型空調機の吹出し空気の温度を設定し、第一のパッケージ型空調機へ吹出し空気の設定温度に関する制御信号を送信し、第一のパッケージ型空調機は、中央制御装置から吹出し空気の設定温度に関する制御信号を受信した場合に、吹出し空気の設定温度に関する制御信号の要求に応じて吹出し空気の温度を制御する、空調システム。【選択図】図１
2019078426.tif 000002
【特許請求の範囲】
【請求項１】
中央制御装置と、
第一のパッケージ型空調機と、を備え、
前記中央制御装置は、前記第一のパッケージ型空調機の吹出し空気の温度を設定し、前記第一のパッケージ型空調機へ前記吹出し空気の設定温度に関する制御信号を送信し、
前記第一のパッケージ型空調機は、前記中央制御装置から前記吹出し空気の設定温度に関する制御信号を受信した場合に、前記吹出し空気の設定温度に関する制御信号の要求に応じて前記吹出し空気の温度を制御する、
空調システム。
【請求項２】
前記第一のパッケージ型空調機によって吹出される前記吹出し空気は、室内に送り込まれ、
前記空調システムは、前記吹出し空気が前記室内へ入る前に、前記吹出し空気と混ざる空気を、前記室内から引き込む還気ファンを備え、
前記還気ファンの回転数は、前記中央制御装置によって制御される、
請求項１に記載の空調システム。
【請求項３】
前記空調システムは、系外から空気を吸込み、前記第一のパッケージ型空調機が吸込む空気を吹出す第二のパッケージ型空調機を備え、
前記第二のパッケージ型空調機によって前記系外から吸込まれる空気量と前記第二のパッケージ型空調機から吹出されて前記第一のパッケージ型空調機へ送られる空気量とは、前記中央制御装置によって制御される、
請求項１又は２に記載の空調システム。
【請求項４】
前記空調システムは、第三のパッケージ型空調機を備え、
前記中央制御装置は、前記第一のパッケージ型空調機の前記吹出し空気の設定温度が所定の温度に達した際に前記第三のパッケージ型空調機へ起動に関する制御信号を送信し、
前記第三のパッケージ型空調機は、前記中央制御装置から前記起動に関する制御信号を受信した場合に、前記起動に関する制御信号の要求に応じて起動し、
前記第三のパッケージ型空調機によって吹出される吹出し空気は、前記第一のパッケージ型空調機によって吹出される前記吹出し空気が前記室内へ入る前に、前記第一のパッケージ型空調機によって吹出される前記吹出し空気と混ざる、
請求項１から３のうちいずれか１項に記載の空調システム。
【請求項５】
中央制御装置が、第一のパッケージ型空調機の吹出し空気の温度を設定し、前記第一のパッケージ型空調機へ前記吹出し空気の設定温度に関する制御信号を送信する送信工程と、
前記第一のパッケージ型空調機が、前記中央制御装置から前記吹出し空気の設定温度に関する制御信号を受信した場合に、前記吹出し空気の設定温度に関する制御信号の要求に応じて前記吹出し空気の温度を制御する制御工程と、を備える、
空調方法。
【発明の詳細な説明】
【技術分野】
【０００１】
本発明は、空調システム及び空調方法に関する。
【背景技術】
【０００２】
従来のビルや商用施設等の空調システムの方式は、特許文献１のように、１箇所に熱源設備を設置し、熱源設備から熱媒体を各室内機へ送るセントラル方式が主流であった。一方で、近年は、特許文献２のように、管理が容易であり、利便性に優れるパッケージ型空調機の利用が増えている。
【先行技術文献】
【特許文献】
【０００３】
【特許文献１】特開２０１５−２０６５１９号公報
【特許文献２】特開２０１４−１９６８５７号公報
【発明の概要】
【発明が解決しようとする課題】
【０００４】
セントラル方式の空調システムでは、１箇所に設けられた熱源設備によって作られた熱媒体が室内機へ送られ、その送られた熱媒体と空気とが熱交換することによって室内機からの吹出し空気の温度は調節される。つまり、セントラル方式の空調システムは、１箇所に設けられた熱源設備によって複数の室内機の吹出し空気の温度を柔軟に変化させることができ、またその吹出し空気の温度を集中的に管理することができるため、快適性や省エネルギー性に対して高い拡張性を有する。しかしながら、セントラル方式の空調システムは、その熱源設備の保守を専門に行う人材が必要であり、管理コストが高い。そこで、セントラル方式の空調システムに代わり、管理コストが低く、利便性に優れたパッケージ型空調機を用いた空調システムが考えられる。パッケージ型空調機は、熱源を備え、吸込み空気の温度を計測し、温度調節された空気を吹出す。しかしながら、冷房時は室内温度設定値に対して一定温度低い冷風、暖房時は室内温度設定値に対して一定温度高い暖風を吹出すものであり、その結果として室内温度はハンチングする。
【０００５】
そこで本願は快適性と省エネルギー性に対する拡張性が高く、且つ管理コストが低く、利便性に優れた空調システムを提供することを課題とする。
【課題を解決するための手段】
【０００６】
上記課題を解決するため、本発明は、吹出し空気の温度を変化させることのできるパッケージ型空調機を備えることとした。
【０００７】
詳細には、本発明は、中央制御装置と、第一のパッケージ型空調機と、を備え、中央制御装置は、第一のパッケージ型空調機の吹出し空気の温度を設定し、第一のパッケージ型空調機へ吹出し空気の設定温度に関する制御信号を送信し、第一のパッケージ型空調機は、中央制御装置から吹出し空気の設定温度に関する制御信号を受信した場合に、吹出し空気の設定温度に関する制御信号の要求に応じて吹出し空気の温度を制御する。
【０００８】
ここで、パッケージ型空調機とは、冷凍サイクルを実現する圧縮機、蒸発器、凝縮器、膨張弁を備える空調機のことであり、例えば、設備用パッケージエアコン、店舗オフィス用パッケージエアコン、ルームエアコンといった空調機である。
【０００９】
このような空調システムであれば、第一のパッケージ型空調機の吹出し空気の温度調節
は柔軟に行われ、快適性を提供することができる。また、パッケージ型空調機を用いているため、管理コストは低い。
【００１０】
また、第一のパッケージ型空調機によって吹出される吹出し空気は、室内に送り込まれ、空調システムは、吹出し空気が室内へ入る前に、吹出し空気と混ざる空気を、室内から引き込む還気ファンを備え、還気ファンの回転数は、中央制御装置によって制御されてもよい。このような空調システムであれば、第一のパッケージ型空調機から吹出される空気が低温である場合、還気ファンの回転数を高めることによって室内への給気温度の急激な低下を防ぐことができ、室内温度を徐々に設定温度へ近づけることができる。従って、このような空調システムは、快適性を提供することができる。
【００１１】
また、空調システムは、系外から空気を吸込み、第一のパッケージ型空調機が吸込む空気を吹出す第二のパッケージ型空調機を備え、第二のパッケージ型空調機によって系外から吸込まれる空気量と第二のパッケージ型空調機から吹出されて第一のパッケージ型空調機へ送られる空気量とは、中央制御装置によって制御されてもよい。このような空調システムであれば、柔軟に系外の空気を空調システムに用いることができ、利便性に優れ、省エネルギー化を実現することができる。
【００１２】
また、空調システムは、第三のパッケージ型空調機を備え、中央制御装置は、第一のパッケージ型空調機の吹出し空気の設定温度が所定の温度に達した際に第三のパッケージ型空調機へ起動に関する制御信号を送信し、第三のパッケージ型空調機は、中央制御装置から起動に関する制御信号を受信した場合に、起動に関する制御信号の要求に応じて起動し、第三のパッケージ型空調機によって吹出される吹出し空気は、第一のパッケージ型空調機によって吹出される吹出し空気が室内へ入る前に、第一のパッケージ型空調機によって吹出される吹出し空気と混ざってもよい。
【００１３】
ここで、所定の温度とは、室内を冷房する際には、第一のパッケージ型空調機が吹出すことのできる下限温度のことであり、室内を暖房する際には、第一のパッケージ型空調機が吹出すことのできる上限温度のことである。
【００１４】
このような空調システムであれば、第一のパッケージ型空調機のみでは空調能力に不足がある場合に、第三のパッケージ型空調機を用いることによって空調能力を補充することができる。従って、このような空調システムは、利便性に優れる。
【００１５】
また、上記のような空調システムであれば、吹出し空気の温度を変化させることのできる第一のパッケージ型空調機、系外から空気を吸込む第二のパッケージ型空調機、第一のパッケージ型空調機の空調能力を補充する第三のパッケージ型空調機、及び室内の空気を還気させる還気ファンという、機能の異なる装置が中央制御装置によって制御されている。従って、これらの装置を連動させ、快適な室内環境や省エネルギー化を実現する多様な空調モードを提供することができる。従って、このような空調システムは、快適性や省エネルギー性に対して高い拡張性を有する。
【００１６】
また、本発明は、方法の側面から捉えることもできる。すなわち、本発明は、例えば、中央制御装置が、第一のパッケージ型空調機の吹出し空気の温度を設定し、第一のパッケージ型空調機へ吹出し空気の設定温度に関する制御信号を送信する送信工程と、第一のパッケージ型空調機が、中央制御装置から吹出し空気の設定温度に関する制御信号を受信した場合に、吹出し空気の設定温度に関する制御信号の要求に応じて吹出し空気の温度を制御する制御工程と、を備える、空調方法であってもよい。
【発明の効果】
【００１７】
上記空調システム及び空調方法は、快適性と省エネルギー性に対する拡張性が高く、且つ管理コストが低く、利便性に優れた空調システムを提供する。
【図面の簡単な説明】
【００１８】
【図１】図１は、空調システムの概要図である。
【図２】図２は、空調システムのシステム構成図である。
【図３】図３は、ベース冷房モード時の空調システムの説明図である。
【図４】図４は、冷房モード時のシステムフロー図である。
【図５】図５は、空調システムの吹出し空気の温度の変化を表した説明図である。
【図６】図６は、ピーク冷房モード時の空調システムの説明図である。
【図７】図７は、従来の空調システムを用いた場合の室内温度の経時変化を示した図である。
【図８】図８は、本発明の空調システムを用いた場合の室内温度の経時変化を示した図である。
【図９】図９は、還気ファンの回転数の変化を表した図である。
【図１０】図１０は、除湿冷房モード弱時の空調システムの説明図である。
【図１１】図１１は、除湿冷房モード強時の空調システムの説明図である。
【図１２】図１２は、外気冷房モード時の空調システムの説明図である。
【図１３】図１３は、外気冷房モードへの切り替え条件の範囲を空気線図で表した図である。
【図１４】図１４は、自然換気モード時の空調システムの説明図である。
【図１５】図１５は、自然換気モードへの切り替え条件の範囲を空気線図で表した図である。
【発明を実施するための形態】
【００１９】
以下、本発明の実施形態について説明する。以下に示す実施形態は、本発明の実施形態の一例であり、本発明の技術的範囲を以下の態様に限定するものではない。
【００２０】
図１は、本発明の実施形態にかかる空調システムの概要図である。図１に示される空調システム１００は、例えばビルや商用施設等の室内１Ａ、１Ｂを空調するために温度調節された空気を吹出すベース空調機２Ａ、２Ｂと、ベース空調機２Ａ、２Ｂの空調能力を補充するピーク空調機３と、外気を吸込む外気処理空調機４と、外気処理空調機４からベース空調機２Ａ、２Ｂへ送られる空気を加湿する加湿器５と、ベース空調機２Ａ、２Ｂが室内１Ａ、１Ｂへ送り込む空気へ室内の空気を混合させる還気ファン６Ａ、６Ｂと、を備える。また、空調システム１００は、ベース空調機２Ａ、２Ｂから吹出された空気を各室内１Ａ、１Ｂの床下へ送る配管と、各室内１Ａ、１Ｂからの還気をベース空調機２Ａ、２Ｂへ送る配管と、各室内１Ａ、１Ｂからの還気をピーク空調機３へ送る配管と、ピーク空調機３から吹出された空気を、ベース空調機２Ａ、２Ｂから吹出されて室内１Ａ、１Ｂへ送り込まれる空気へ混合させる配管と、その混合させる配管途中にモータダンパ（ＭＤ）７Ａ、７Ｂと、その混合後の空気の温度（給気温度）を計測する温度センサ８Ａ、８Ｂと、各室内１Ａ、１Ｂの上部から還気ファン６Ａ、６Ｂによって吸込まれた空気を、ベース空調機２Ａ、２Ｂから吹出されて室内１Ａ、１Ｂへ送り込まれる空気へ混合させる配管と、系外から外気処理空調機４へ空気を取り込む配管と、その取り込む配管途中にＭＤ７Ｃと、外気処理空調機４から吹出された空気を加湿器５へ送る配管と、加湿器５を通過した空気をベース空調機２Ａ、２Ｂへ送る配管と、その送る配管途中に定風量装置（ＣＡＶ）９Ａ、９Ｂと、室内１Ａ、１Ｂ内にそれぞれ温湿度センサ１０Ａ、１０Ｂと、外気処理空調機４から吹出された空気を再び外気処理空調機４へ送る循環配管と、その循環配管途中にＭＤ７Ｄとを備える。また、ベース空調機２Ａ、２Ｂ、ピーク空調機３、及び外気処理空調機４は、パッケージ型空調機である。ここで、パッケージ型空調機とは、冷凍サイクルを実現する圧縮機、蒸発器、凝縮器、膨張弁を備える空調機のことであり、例えば、設備
用パッケージエアコン、店舗オフィス用パッケージエアコン、ルームエアコンといった空調機である。上述のようにパッケージ型空調機を用いて空調システム１００を構築することによって、管理コストを抑えることができる。
【００２１】
図２は、本発明の実施形態に係る空調システム１００のシステム構成図である。図２に示されるように空調システム１００は、空調システム１００の運転の起動・停止を指示するマルチリモートコントローラ（以下、ＭＵＲ）１１と、加湿器５、ＭＤ７、温度センサ８、ＣＡＶ９、温湿度センサ１０と制御信号で接続し、ベース空調機２Ａ、２Ｂの吹出し空気の設定温度を演算し、又還気ファン６Ａ、６Ｂの回転数を演算する中央監視部１２と、中央監視部１２からベース空調機２Ａ、２Ｂの吹出し空気の設定温度に関するアナログ信号を受信するコントローラ１３と、コントローラ１３からアナログ信号を受信し、アナログ信号をデジタル信号へ変換する入力モジュール１４と、入力モジュール１４からベース空調機２Ａ、２Ｂの吹出し空気の設定温度に関するデジタル信号を受信し、ベース空調機２Ａ、２Ｂへ吹出し空気の設定温度に関するデジタル信号を送信する集中リモートコントローラ１５と、還気ファン６Ａ、６Ｂと接続し、コントローラ１３から還気ファン６Ａ、６Ｂのインバータ回転数に関するアナログ信号を受信し、その信号に基づいて還気ファン６Ａ、６Ｂへ動力を提供して還気ファン６Ａ、６Ｂを通過する風量を調節する動力盤１６と、を備える。また、コントローラ１３内でベース空調機２Ａ、２Ｂの吹出し空気の設定温度を演算し、演算した結果をアナログ信号で集中リモートコントローラ１５へ出力してもよい。そして、集中リモートコントローラ１５内で受信したアナログ信号をデジタル信号へ変換してもよい。
【００２２】
また、ベース空調機２Ａ、２Ｂは、室内温度と吸込み空気の温度に基づいて温度制御を実行していた従来のパッケージ型空調機の基板の一部を改装し、新たに吹出し空気の設定温度に関するデジタル信号を受信することのできる受信部１７Ａ、１７Ｂをそれぞれ備え、そしてそのデジタル信号に基づいて冷媒流量を制御し、吹出し空気の温度を変化させる。また、ピーク空調機３及び外気処理空調機４も、上述のように従来のパッケージ型空調機の基板の一部を改装し、新たに吹出し空気の設定温度に関するデジタル信号を受信することのできる受信部をそれぞれ備え、そのデジタル信号に基づいて冷媒流量を制御し、吹出し空気の温度を変化させる空調機であってもよい。また、ベース空調機２Ａ、２Ｂと同じ空調機をピーク空調機３及び外気処理空調機４に用いてもよい。
【００２３】
空調システム１００は、事前に定められた中央監視スケジュールに基づいて起動・停止される。図３は、空調システム１００が冷房運転を行う場合のシステムの説明図である。図３のようにベース空調機２Ａ、２Ｂ、外気処理空調機４、加湿器５、還気ファン６Ａ、６Ｂが起動され、ＣＡＶ９Ａ、９Ｂ及びＭＤ７Ｃ、７Ｄによって空気の流量は制御される（以下、ベース冷房モードという）。そして、ピーク空調機３からの吹出し空気の流量を制御するＭＤ７Ａ、ＭＤ７Ｂは全閉されている。また、外気処理空調機４の吹出し空気の温度の設定値は、外気負荷とバイパス熱量を考慮した所定設定温度である。
【００２４】
図４は、冷房時のシステムフローを示している。まず空調システム１００は、温湿度センサ１０によって室内温度を計測し（Ｓ１０１）、中央監視部１２において計測温度と室内温度設定値とを比較する（Ｓ１０２）。そして、計測温度が室内温度設定値よりも低い場合、ベース空調機２Ａ、２Ｂの吹出し空気の設定温度はプラスにリセットされ、その制御信号がベース空調機２Ａ、２Ｂに設けられた受信部１７Ａ、１７Ｂへ送られる（Ｓ１０３）。一方で、計測温度が室内温度設定値よりも高い場合、ベース空調機２Ａ、２Ｂの吹出し空気の設定温度はマイナスにリセットされる（Ｓ１０４）。図５は、吹出し空気の設定温度のリセット値の変化を表した図である。吹出し空気の設定温度のリセット値は、図５に示されるように線形に変化し、リセット値には上限、下限を設ける。リセット値の上限は、例えば冷房時には、室内温度設定値とする。そして、ロードリセット後の吹出し空
気の設定温度と、ベース空調機２Ａ、２Ｂが提供できる下限温度（例えば１３度）とを比較する（Ｓ１０５）。そして、ロードリセット後の吹出し空気の設定温度が１３度である場合、中央監視部１２よりピーク空調機３へ起動に関する制御信号が送信され、その制御信号を受信したピーク空調機３が起動する（Ｓ１０６）。そして、同じく中央監視部１２によって制御されたＭＤ７Ａ、７Ｂが開口し、ピーク空調機３の吹出し空気は、ベース空調機２Ａ、２Ｂから吹出されて室内１Ａ、１Ｂへ送り込まれる空気に混合される（以下、ピーク冷房モードという）。図６は、ピーク冷房モード時の空調システム１００の説明図である。ピーク空調機３の吹出し空気の温度は、提供できる下限温度（例えば１３度）でもよい。ただし、ピーク冷房モードであっても、ベース空調機２Ａ、２Ｂの吹出し温度の設定値は、ロードリセット制御され、空調性能は確実に確保されてもよい。また、ピーク空調機３の運転時間はオフタイマーによって制御される（Ｓ１０７）が、ピーク空調機３の運転時間は一定でも可変でもよい。ピーク空調機３が運転されている最中に再度室内の温度を計測し（Ｓ１０８）、その計測温度と室内温度設定値とを比較し（Ｓ１０９）、計測温度が室内温度設定値よりも低ければ、ピーク空調機３は停止される（Ｓ１１０）。
【００２５】
図７は、従来のパッケージ型空調機を用いた空調システムの場合の室内温度の経時変化を表す。従来のパッケージ型空調機を用いた空調システムは、各パッケージ型空調機が連動せず、また各パッケージ型空調機自体はある一定温度の吹出し空気を吹出すことしかできない。従って、図７のように、室内温度は、室内温度設定値に対してハンチングする。一方で、上述の空調システム１００に用いられるベース空調機２Ａ、２Ｂは、その吹出し空気の設定温度が計測温度に応じてロードリセット制御されるため、空調システム１００は、従来のパッケージ型空調機では実現できなかった、室内温度設定値に対する室内温度の収束を実現することができる。この収束の様子を表した図が図８である。また、ベース冷房モードとピーク冷房モードの２種類のモードを実行できるため、大きな空調能力が必要な室内環境の場合であっても、早期に室内温度を室内温度設定値へ収束させることができる。従って、空調システム１００は、快適性を提供でき、利便性に優れる。また、ベース空調機２Ａ、２Ｂ及びピーク空調機３は中央監視部１２によって制御されて無駄なく連動するため、省エネルギー化も実現することができる。
【００２６】
なお、還気ファン６Ａ、６Ｂは、室内１Ａ、１Ｂの上部から空気を吸込み、ベース空調機２Ａ、２Ｂから吹出されて室内１Ａ、１Ｂへ送り込まれる空気へ、その吸込んだ空気を混合させてもよい。そしてその際、還気ファン６Ａ、６Ｂのファン回転数は、混合された空気の温度（室内１Ａ、１Ｂへの給気温度）が設定値となるように、温度センサ８Ａ、８Ｂによって給気温度を計測し、中央監視部１２によってインバータ制御されてもよい。図９は、還気ファン６Ａ、６Ｂの回転数の変化を示した図である。ただし、還気ファン６Ａ、６Ｂのインバータ回転周波数は、例えば最低周波数を１５Ｈｚとし、それ以下の要求の際には０Ｈｚの休止状態としてもよい。従って、例えばピーク冷房モード時のようにベース空調機２Ａ、２Ｂが高負荷となり、低温空気が吹出されたとしても、還気ファン６Ａ、６Ｂを適切に制御することにより、室内１Ａ、１Ｂへの給気温度の極端な低下を防ぐことができる。従って、室内へ送り込む空気の温度はほぼ一定のまま、室内温度を室内温度設定値へ徐々に近づけることができ、快適性を提供することができる。また、例えば冷房時、還気ファン６Ａ、６Ｂが設けられている室内１Ａ、１Ｂの上部は、熱だまりとなっている場合が多い。よって、冷房時には還気ファン６Ａ、６Ｂの回転数を低く制御し、暖房時には、還気ファン６Ａ、６Ｂの回転数を上げることによって熱だまりの熱を無駄なく用い、省エネルギー化を実現することもできる。
【００２７】
また、空調システム１００は、室内湿度が上昇した際に、例えば外気処理空調機４の吹出し空気の温度を、外気処理空調機４の下限温度（例えば１３度）に制御し、ベース空調機２Ａ、２Ｂへ送られる空気の過冷却除湿を行ってもよい（以下、除湿冷房モード弱という）。図１０は、除湿冷房モード弱時の空調システム１００の説明図である。ただし、ベ
ース空調機２Ａ、２Ｂから吹出される空気の温度は、室内１Ａ、１Ｂの室内温度が過冷却となることを防止するために適切に調整されてもよい。
【００２８】
また、空調システム１００は、除湿冷房モード弱で運転しても室内湿度除去能力が不足する場合、例えばベース空調機２Ａ、２Ｂ及びピーク空調機３の吹出し空気の温度を下限の１３度とし、吹出し空気の直接的な過冷却除湿を行ってもよい（以下、除湿冷房モード強という）。図１１は、除湿冷房モード強時の空調システム１００の説明図である。また、この際、室内１Ａ、１Ｂへの給気温度が下がりすぎないよう、例えば給気温度を２０度と設定し、還気ファン６Ａ、６Ｂを最大風量近傍で運転してもよい。また、この際、ベース空調機２Ａ、２Ｂのロードリセット制御は停止されてもよい。また、室内の過冷却による快適性の低下を防止するため、室内温度がある設定温度を下回った場合には、除湿冷房モードは解除されてもよい。上記のような空調システム１００は、除湿を行いつつも、室内への給気温度を適切に調節するため、室内にいる人間の快適性は維持される。従って、空調システム１００は、利便性に優れたシステムである。
【００２９】
また、空調システム１００は、例えば外気が冷涼な期間において、ベース空調機２Ａ、２Ｂ及び外気処理空調機４が冷房モードであって、室内温度が室内温度下限値よりも高い場合、外気冷房運転を行ってもよい（以下、外気冷房モードという）。図１２は、外気冷房モード時の空調システム１００の説明図である。外気冷房モード時、系外から空気を取り込む外気処理空調機４は１００％定格風量で送風運転されてもよい。また、外気処理空調機４の吹出し空気を吸込み空気へ循環させる配管に設けられたＭＤ７Ｄは中央監視部１２によって全閉に制御され、加湿器５とベース空調機２Ａ、２Ｂとを接続する配管に設けられたＣＡＶ９Ａ、９Ｂは中央監視部１２によって全開に制御されてもよい。従って、外気冷房モードでは、外気は最大限利用される。
【００３０】
ここで、外気冷房モードへの切り替えは、まず外気温湿度計測値、室内温湿度計測値から外気エンタルピー、室内エンタルピーの演算を行う。そして、中央監視で外気冷房が許可されている場合に、外気処理空調機及びベース空調機２Ａ、２Ｂが冷房モードであり、室内温度が室内温度下限設定値以上であり、（ａ）外気温度が室内温度以下である、（ｂ）外気エンタルピーが室内エンタルピー以下である、（ｃ）外気温度が外気下限温度設定値以上である、（ｄ）外気相対湿度が外気下限相対湿度設定値以上である、（ｅ）外気相対湿度が外気上限相対湿度設定値以下である、という条件をすべて満たせば切り替えは実行されてもよい。ただし、外気温度下限値、外気相対湿度上限値、外気相対湿度下限値の設定は、中央監視部１２によって変更されてもよい。この切り替え条件を図示すると図１３のような空気線図となる。ただし、外気冷房モードであっても、ベース空調機２Ａ、２Ｂの吹出し空気の設定温度はロードリセット制御され、空調性能は確実に確保されてもよい。上記の空調システム１００であれば、快適性は維持されつつも、柔軟に系外の空気を空調システムに用いることができ、利便性に優れ、省エネルギー化を実現することができる。
【００３１】
また、空調システム１００は、例えば外気処理空調機４が停止され、ビルや商用施設等の建物の外周面に設けられた自動開閉パネルによって自然換気が行われてもよい（以下、自然換気モードという）。図１４は、自然換気モード時の空調システム１００の説明図である。自然換気モードへの切り替えは、まず外気温湿度計測値、室内温湿度計測値から外気エンタルピー、室内エンタルピーの演算を行う。そして、（ａ）自然換気有効時間内である、（ｂ）外気温度が室内温度以下である、（ｃ）外気エンタルピーが室内エンタルピー以下である、（ｄ）外気温度が外気下限温度設定値以上である、（ｅ）外気相対湿度が外気下限相対湿度設定値以上である、（ｆ）外気相対湿度が外気上限相対湿度設定値以下である、（ｇ）降雨ではない、（ｈ）風速有効範囲内である、という条件を全て満たす場合に実施されてもよい。上記の切り替え条件を図示すると、図１５のような空気線図とな
る。
【００３２】
また、空調システム１００が建物内のフロア毎に設けられている場合、自然換気モードへの切り替えは、フロア毎に実施されてもよい。また、自然換気有効時間、外気下限温度、及び相対湿度の設定値は、中央監視部１２によって変更されてもよい。上記のような空調システム１００は、空気搬送動力が低減される。また、トイレ等に設定されている換気ファンによる第３種換気によって室内が陰圧となり、より多くの外気導入が促される。ただし、この際、室内１Ａ、１Ｂは、自然換気による熱除去と平行して、ベース空調機２Ａ、２Ｂによって温度制御された吹出し空気が継続的に供給されてもよい。従って、自然換気モードでは、快適性は維持されつつも省エネルギー化が実現される。
【００３３】
上記のような空調システム１００は、中央監視部１２やコントローラ１３によってベース空調機２Ａ、２Ｂ、ピーク空調機３、外気処理空調機４、還気ファン６Ａ、６Ｂ等が制御される。そして、それらの装置が連動することによってベース冷房モード、ピーク冷房モード、除湿冷房モード弱、除湿冷房モード強、外気冷房モード、自然換気モードの６つのモードでの運転を可能にし、快適性や省エネルギー性を実現している。また、冬季においては、冷房モードだけではなく上記の装置を連動させて暖房モードでの運転を行い、快適性や省エネルギー性を実現してもよい。つまり、空調システム１００は、快適性、省エネルギー性に対して拡張性が高く、且つ管理コストが低く利便性に優れた空調システムである。
【符号の説明】
【００３４】
１Ａ、１Ｂ・・ビルや商用施設等の室内；２Ａ、２Ｂ・・ベース空調機；３・・ピーク空調機；４・・外気処理空調機；５・・加湿器；６Ａ、６Ｂ・・還気ファン；７，７Ａ、７Ｂ、７Ｃ、７Ｄ・・モータダンパ；８・・温度センサ；９，９Ａ、９Ｂ・・定風量装置；１０、１０Ａ、１０Ｂ・・温湿度センサ；１１・・マルチリモートコントローラ；１２・・中央監視部；１３・・コントローラ；１４・・入力モジュール；１５・・集中リモートコントローラ；１６・・動力盤；１７Ａ、１７Ｂ・・受信部；１００・・空調システム
【図１】
2019078426.tif 000003
【図２】
2019078426.tif 000004
【図３】
2019078426.tif 000005
【図４】
2019078426.tif 000006
【図５】
2019078426.tif 000007
【図６】
2019078426.tif 000008
【図７】
2019078426.tif 000009
【図８】
2019078426.tif 000010
【図９】
2019078426.tif 000011
【図１０】
2019078426.tif 000012
【図１１】
2019078426.tif 000013
【図１２】
2019078426.tif 000014
【図１３】
2019078426.tif 000015
【図１４】
2019078426.tif 000016
【図１５】
2019078426.tif 000017